(57)【要約】【課題】昇降式便器上面設備の底面にカートリッジを配置するよう構成した場合に、カートリッジの交換を著しく容易に行うことができるようにする。【解決手段】使用者が洋風便器１０の前方に立ったりあるいは便座１４に着座すると、脱臭ファン３２が作動し、便鉢１２内の空気が吸引される。この空気は、開口４８からタンクカバーユニット２０内に入り、脱臭カートリッジ３０を通過し、脱臭ファン３２から後方に送風される。洋風便器１０の後部上面の清掃や脱臭カートリッジ３０の交換を行うときには、タンクカバーユニット２０の前部を上昇させた後、指掛け部４２ａに指先を掛けて蓋４０を引き下げる。【選択図】  図１
2004324168.tif 000002
【特許請求の範囲】
【請求項１】
便器の後部上面に設置され、少なくとも前部が昇降可能な昇降体とされた便器上面設備において、
該昇降体の底面に、カートリッジ出入れ用の開口と、該開口を閉鎖する蓋とが設けられており、
該蓋の上面がカートリッジ配置部となっていることを特徴とする便器上面設備。
【請求項２】
請求項１において、該蓋は該便器上面設備に対し上下方向回動可能に取り付けられており、
該蓋に、前記カートリッジを保持する保持部材が設けられていることを特徴とする便器上面設備。
【請求項３】
請求項２において、該保持部材は、蓋の回動軸と交叉方向に延在する両サイドに設けられており、カートリッジを両側から保持するものであることを特徴とする便器上面設備。
【請求項４】
請求項２又は３において、該蓋が下方に回動したときに、回動角度が９０°よりも小さい範囲で蓋を停止させる停止手段が設けられていることを特徴とする便器上面設備。
【請求項５】
請求項１において、該蓋は、水平姿勢を保ったまま上下動可能となっていることを特徴とする便器上面設備。
【発明の詳細な説明】
【０００１】
【発明の属する技術分野】
本発明は、洋風便器の後部上面に設置される便座ボックス、タンクカバー等の便器上面設備に係り、特に少なくとも前部が昇降可能となっている便器上面設備に関する。さらに詳しくは、この便器上面設備の底面に脱臭カートリッジなどのカートリッジを出入れ自在に収納した便器上面設備に関する。
【０００２】
【従来の技術】
脱臭カートリッジ等のカートリッジを便座ボックスに取り付ける場合、便座ボックスの側面又は前面から該脱臭カートリッジを着脱するように該便座ボックスの側面や前面に装着部を設けることが多い（例えば特開平１０−１５２８７８号公報）。
【０００３】
脱臭カートリッジを便座ボックスの側面や前面に装着する場合、該側面や前面に蓋付きの開口を設けたり、脱臭カートリッジの端面それ自体を便座ボックスの外面と面一状に露出するように配置する。
【０００４】
このような便座ボックスにあっては、蓋や脱臭カートリッジの端面などが便座ボックスの外面に露出するため、蓋や該端面の縁部が目立ち、見栄えが悪い。また、この縁部に汚れが入り込み、清掃しても十分には綺麗にならないことがある。さらに、デパート、ホテルなどの公共的なトイレルームの洋風便器に設置された便座ボックスの場合、脱臭カートリッジ等が便座ボックスの外面に露出していると、破壊あるいは盗難等の悪戯を受けることもある。
【０００５】
このような問題点を解決するものとして、特開２０００−３１６７５４号には、洋風便器に対し着脱自在とされた便座ボックスの底面に脱臭カートリッジの装着部を設けることが記載されている。
【０００６】
かかる便座ボックスは、脱臭カートリッジ装着部がトイレルーム使用者に丸見えになることがなく、見栄えが良好であると共に、脱臭カートリッジ装着部近辺の汚れも見えず、清掃が楽になる。また、脱臭カートリッジの盗難などの悪戯も無くなる。
【０００７】
なお、便座ボックスを洋風便器から持ち上げて外すことにより、洋風便器上面の清掃が可能となる。便座ボックスを持ち上げて取り外したときに、便座ボックス底面の脱臭カートリッジを交換することができる。
【０００８】
なお、本発明は、便器上面設備の少なくとも前部を昇降可能としたものであるが、この前部を昇降可能とした便器上面設備自体は公知である。例えば、特開２０００−３３０５１号には、タンクカバーの前部を昇降可能とし、便鉢後縁に沿う洋風便器上面の清掃を容易に行うことができるようにした洋風便器装置が記載されている。
【０００９】
【特許文献１】
特開平１０−１５２８７８号公報
【特許文献２】
特開２０００−３１６７５４号公報
【特許文献３】
特開２０００−３３０５１号公報
【００１０】
【発明が解決しようとする課題】
上記特開２０００−３１６７５４号の便座ボックスにあっては、脱臭カートリッジを交換するには便座ボックスを持ち上げて横向きに立てたり裏返しにして脱臭カートリッジを取り外すようにするため、特開２０００−３３０５１号等の昇降式便器上面設備に適用し難い。即ち、昇降式便器上面設備（例えばタンクカバー）の前部底面に脱臭カートリッジを着脱させるようにした場合、該前部を著しく高く上昇させない限り、該前部の下側のスペースが狭く、脱臭カートリッジの交換は著しく不便なものとなる。
【００１１】
本発明は、昇降式便器上面設備の底面にカートリッジを配置するよう構成した場合に、カートリッジの交換を著しく容易に行うことができるようにすることを目的とする。
【００１２】
【課題を解決するための手段】
本発明の便器上面設備は、便器の後部上面に設置され、少なくとも前部が昇降可能な昇降体とされた便器上面設備において、該昇降体の底面に、カートリッジ出入用の開口と、該開口を閉鎖する蓋とが設けられており、該蓋の上面がカートリッジ配置部となっていることを特徴とするものである。
【００１３】
かかる便器上面設備にあっては、昇降体を上昇させ、蓋を開放させると、この蓋の上面に配置されていたカートリッジが便器上面設備底面から下方に露出する。そこで、昇降体の下側のスペースに手などを差し込んでカートリッジを容易に取り出すことができる。また、新品のカートリッジを該蓋に容易に装着することもできる。
【００１４】
本発明の一態様にあっては、蓋は該便器上面設備に対し上下方向回動可能に取り付けられており、該蓋に、前記カートリッジを保持する保持部材が設けられている。この保持部材は、蓋の回動軸と交叉方向に延在する両サイドに設けられており、カートリッジを両側から保持するものが好適である。
【００１５】
かかる便器上面設備にあっては、蓋に対しカートリッジをきわめて容易に着脱することができる。
【００１６】
この態様の場合、蓋が下方に回動したときに、回動角度が９０°よりも小さい範囲で蓋を停止させる停止手段が設けられていることが好ましい。このように蓋が９０°よりも狭く開くよう構成した場合、昇降体を下降させた際に蓋の下端が洋風便器上面等と摺動し、蓋は閉まる方向に回動する。
【００１７】
本発明の別の一態様では、蓋は、水平姿勢を保ったまま上下動可能となっている。この態様では、昇降体を上昇させ、蓋を昇降体底面から下方に降りて出てくるようにする。これにより、この蓋の上のカートリッジを取り出すことができる。カートリッジを交換した後、昇降体を下降させると、蓋は昇降体に接近して自然に閉まり、上昇し、カートリッジも便器上面設備内に収容される。ただし、蓋を閉めてから昇降体を下降させてもよい。
【００１８】
【発明の実施の形態】
以下、図面を参照して実施の形態について説明する。第１図は実施の形態に係る便器上面設備としてのタンクカバーユニットを備えた洋風便器の側面図であり、（ａ）図はタンクカバー非上昇時、（ｂ）図はタンクカバー上昇時を示す。第２図は蓋と脱臭カートリッジとの係合関係を示す斜視図、第３図はタンクカバーユニットの下方からの斜視図、第４図はタンクカバーユニットの前部を上昇させた場合のタンクカバーユニットの下方からの斜視図、第５図は第４図において脱臭カートリッジを取り外した状態の斜視図である。
【００１９】
第１図の通り、洋風便器１０の便鉢１２の後方の上面にタンクカバーユニット２０が設置され、このタンクカバーユニット２０の前部に便座１４と便蓋１６とが起倒方向回動可能に取り付けられている。
【００２０】
タンクカバーユニット２０は、底面部が後半側のリアベースプレート２２と前半側のフロントベースプレート２４とによって構成され、このフロントベースプレート２４が昇降案内部材２６によって昇降可能となっている。このフロントベースプレート２４に、便鉢１２内から臭気を含んだ空気を吸引して脱臭するための脱臭カートリッジ３０及び脱臭ファン３２が設置されている。また、このフロントベースプレート２４には、人体臀部を温水で洗浄するための温水洗浄ノズル３４，３６のほか、図示はしないが、便座１４及び便蓋１６を開閉させる電動開閉ユニット、人体臀部に向けて温風を吹き出してその乾燥を行う温風ファン等が設けられている。
【００２１】
この実施の形態では、フロントベースプレート２４に略長方形の開口３８が設けられ、この開口３８に蓋４０が設けられている。
【００２２】
この蓋４０は、その後縁側にヒンジピン（図示略）が設けられ、前縁側が上下方向に回動可能となっている。
【００２３】
この蓋４０の前端には、該蓋４０を閉めたときに開口３８の前縁に軽く係合して蓋４０を閉止状態に保つクリックバネ４２が設けられている。このクリックバネ４２の先端には、指先を掛けて蓋４０を開けるための指掛止片部４２ａが設けられている。この指掛止片部４２ａは、蓋４０を閉めたときに、フロントベースプレート２４の底面から若干下方に突出する。
【００２４】
蓋４０の上面には、左右両側辺から１対のバー４４，４４が立設されている。このバー４４，４４同士の間隔は、脱臭カートリッジ３０の幅よりもごくわずかに大となっている。脱臭カートリッジ３０の両側面には突起３０ａ，３０ａが突設されており、この突起３０ａ，３０ａをバー４４，４４に載せるようにして脱臭カートリッジ３０が蓋４０に保持可能となっている。蓋４０の後部上面には、脱臭カートリッジ３０の位置決め用の突片４６が突設されている。
【００２５】
フロントベースプレート２４には、便鉢１２内の空気を吸引するための開口４８が設けられている。
【００２６】
便鉢１２に洗浄水を供給するためのロータンク５０（図１にのみ図示）のほか、前記リアベースプレート２２には、図示はしないが、前記温水洗浄ノズルへ温水を供給するためのヒータ付き温水タンク、ヒータ及び電動ファンよりなる部屋暖房ファン、電源基板、制御回路基板等が設けられている。
【００２７】
タンクカバーユニット２０の外面を囲むタンクカバーは、前半体５２と後半体５４とからなる。前半体５２はフロントベースプレート２４と共に昇降可能とされ、後半体５４はリアベースプレート２２に固定されている。前半体５２に前記便座１４と便蓋１６が取り付けられている。前半体５２の上部には手洗鉢５６が設けられているが、この手洗鉢５６は省略されてもよい。
【００２８】
このように構成されたタンクカバーユニット２０を備えた洋風便器設備においては、使用者が洋風便器１０の前方に立ったりあるいは便座１４に着座すると、脱臭ファン３２が作動し、便鉢１２内の空気が吸引される。この空気は、開口４８からタンクカバーユニット２０内に入り、脱臭カートリッジ３０を通過し、脱臭ファン３２から後方に送風される。この送風は、排気ガラリ６２（第４，５図）を通ってタンクカバーユニット２０の後部側に送られ、リアベースプレート２２の後縁に設けられた排風口（図示略）を通ってタンクカバーユニット２０外に送り出される。
【００２９】
洋風便器１０の後部上面の清掃や脱臭カートリッジ３０の交換を行うときには、タンクカバーユニット２０の前部を上方に持ち上げる。そうすると、フロントベースプレート２４及びタンクカバー前半体５２が第１図（ｂ）、第４，５図の通り上昇し、フロントベースプレート２４と洋風便器１０の上面との間にスペースが開く。これにより、洋風便器１０の後部上面を容易に清掃することができる。
【００３０】
脱臭カートリッジ３０の交換を行うときには、このようにフロントベースプレート２４及びタンクカバー前半体５２を上昇させた後、指掛け部４２ａに指先を掛けて蓋４０を引き下げる。そうすると、蓋４０は下向きに回動し、第１図（ｂ）及び第４図の垂下姿勢をとり、脱臭カートリッジ３０が露出する。そこで、脱臭カートリッジ３０を蓋４０から取り外し（第５図）、新品の脱臭カートリッジ３０を蓋４０に第４図の如く装着する。次いで蓋４０を閉めた後、フロントベースプレート２４及びタンクカバー前半体５２を下降させることにより、第１図（ａ）の状態に復帰する。
【００３１】
このように、蓋４０に脱臭カートリッジ３０を保持させているので、タンクカバーユニット２０の前部を上昇させた後、蓋４０を開けると、蓋４０上の脱臭カートリッジ３０が露出する。しかも、蓋４０から脱臭カートリッジ３０を取り外した後、この開いた蓋４０に新品の脱臭カートリッジを装着することができる。従って、脱臭カートリッジ３０の交換をきわめて容易かつ迅速に行うことができる。
【００３２】
なお、蓋４０を開けて垂下姿勢とする際に、蓋４０の回動角度が９０°未満例えば７０〜８５°にて停止するようにストッパを設けてもよい。このようにすれば、第１図（ｂ）のように蓋４０が開いた状態でタンクカバーユニット２０が前部を下降させた場合、蓋４０が自然に閉まるようになり、蓋４０を閉める手間を省くことができる。
【００３３】
図示の実施の形態では、蓋４０にクリックバネ４２を設け、蓋４０を閉止状態に維持可能としているが、クリックバネ４０等の閉止手段を省略し、タンクカバーユニット２０の前部を上昇させると、蓋４０及び脱臭カートリッジ３０の自重によって蓋４０が自然に開くようにしてもよい。この場合も、蓋４０が開くときの蓋回動角度を９０°未満とするための回動角度規制手段を設置するのが好ましい。これにより、蓋４０が開け放した第１図（ｂ）の状態からタンクカバーユニット２０の前部を下降させるだけで蓋４０を閉め、脱臭カートリッジ３０を装着することができる。
【００３４】
上記実施の形態では、蓋４０の前端側が上下方向に回動するよう構成しているが、蓋４０の左又は右サイドが上下方向に回動するようにしてもよい。
【００３５】
上記実施の形態では、蓋４０が回動する構成としたが、蓋が略水平姿勢を保ったまま上下動するようにしてもよい。
【００３６】
上記実施の形態では、タンクカバーユニット２０の前半側が上昇する構成となっているが、タンクカバーユニットの全体が上昇する場合にも本発明を適用することができる。
【００３７】
上記実施の形態ではロータンクカバーを昇降させているが、便座ボックスを昇降させる場合にも本発明を適用できることは明らかである。
【００３８】
本発明は、脱臭カートリッジ以外の芳香剤カートリッジ等のカートリッジを設置する場合にも採用可能である。
【００３９】
【発明の効果】
以上の通り、本発明の便器上面設備は、脱臭カートリッジ等のカートリッジを底面に配置しており、便器上面設備の見栄えが良く、また、清掃が容易であると共に、カートリッジの持ち去りなどの悪戯、破壊等を受けることが防止される。さらに、カートリッジの交換もきわめて容易に行うことができる。
【図面の簡単な説明】
【図１】実施の形態に係る便器上面設備としてのタンクカバーユニットを備えた洋風便器の側面図であり、（ａ）図はタンクカバー非上昇時、（ｂ）図はタンクカバー上昇時を示す。
【図２】蓋と脱臭カートリッジとの係合関係を示す斜視図である。
【図３】タンクカバーユニットの下方からの斜視図である。
【図４】タンクカバーユニットの前部を上昇させた場合のタンクカバーユニットの下方からの斜視図である。
【図５】図４において脱臭カートリッジを取り外した状態の斜視図である。
【符号の説明】
１０  洋風便器
２０  タンクカバーユニット
３０  脱臭カートリッジ
３２  脱臭ファン
３８  開口
４０  蓋
４４  バー
５２  タンクカバー前半体
５４  タンクカバー後半体
【図１】
2004324168.tif 000003
【図２】
2004324168.tif 000004
【図３】
2004324168.tif 000005
【図４】
2004324168.tif 000006
【図５】
2004324168.tif 000007